(57)【要約】【課題】  ウインチの巻胴に対するワイヤロープの巻き付け端末部を合理的な固定手段で簡便に取付けられて、しかも安全性を確保できる機能のワイヤロープ端末部処理構造を有するウインチの巻胴を提供する。【解決手段】  巻胴４の表面の一部に凹所１１を設けて、この凹所１１の底面と嵌り合う押え部材１２とによって巻胴４に巻かれるワイヤロープの端末部３０ａを挟み付けて固定するようにされるワイヤロープ固定構造を有するウインチ１の巻胴４において、前記押え部材１２はその表面が前記巻胴４の外周面に沿った曲面に形成され、下面の中央線上にワイヤロープ端末部３０ａを受入れて押さえ込むロープ押え溝１４が形成され、そのロープ押え溝１４に対して上面から複数箇所に配される止めネジ１８にて直接ロープを係止する。【選択図】    図２
2005231852.tif 000002
【特許請求の範囲】
【請求項１】
巻胴の表面の一部に凹所を設けて、この凹所の底面と嵌り合う押え部材とによって巻胴に巻かれるワイヤロープの端末部を挟み付けて固定するようにされるワイヤロープ固定構造を有するウインチの巻胴において、前記押え部材はその表面が前記巻胴の外周面に沿った曲面に形成され、下面の中央線上にワイヤロープ端末部を受入れて押さえ込むロープ押え溝が形成され、そのロープ押え溝に対して上面から複数箇所に配される止めネジにて直接ロープを係止する構成であることを特徴とするウインチの巻胴。
【請求項２】
前記押え部材のロープ引き出し側には、巻胴の周方向に係止部から巻胴にロープが引き出される案内部が形成されている構成である請求項１に記載のウインチの巻胴。
【発明の詳細な説明】
【技術分野】
【０００１】
本発明は、主として扛重機械に使用されるウインチの巻胴に関するもので、詳しくはウインチにおける巻胴に巻き付けられるワイヤロープの端末部を固定する構造に係わり、巻胴に巻かれるワイヤロープが抜け出すのを確実に防止できるようにされたウインチの巻胴に関するものである。
【背景技術】
【０００２】
従来、減速駆動機に直結されて回転するウインチにおいて、その巻胴に巻き取られるワイヤロープの巻胴に対する端末結着手段としては、特許文献１〜３によって知られるように、ワイヤロープの端末にソケットもしくは円柱の係止部片を一体に取付けて、巻胴に設けられた切込み開口部から前記係止部片を付した端末部を内側に挿入してその巻胴の内周面に当接係止するような手段を講じている。
【０００３】
【特許文献１】実公昭４０−２０５９０号公報
【特許文献２】実公昭４０−２７８６５号公報
【特許文献３】実公昭４８−２８５３９号公報
【発明の開示】
【発明が解決しようとする課題】
【０００４】
しかしながら、前記特許文献１によって開示されている方式では、巻胴に設けられた鍵穴状のロープエンド挿入穴における径の大きい部分からロープエンドに付されている大円径部を内部に挿入した後、ロープエンド挿入穴の細形部にワイヤロープをスライドさせて保持するようになっているので、使用中に巻胴へのワイヤロープの巻き付け力に緩みが生じると、ロープ部分が細形部に嵌って係止されているロープエンドの大円径部がワイヤロープの緩みによって位置ずれしてそのロープエンド挿入穴から抜け出すという問題点がある。
【０００５】
また、前記特許文献２に記載されているワイヤロープ端末の結着方式では、巻き付けられているワイヤロープに緩みが発生しても端末のソケットが外れない限りは抜け出さないが、その反面、ワイヤロープを取替えるときには巻胴側部のフランジ部分を分解しなければならず、ウインチ全体を分解するようなことになって、ワイヤロープの取替え作業が厄介であるという問題点がある。このような問題点を解決するものとして特許文献３によって提案されているものでは、ワイヤロープの端末部を巻胴側部のフランジ部内側に嵌め込むために、狭いスペースにその端末部を挿入しなければならない構造となって、取付操作性に問題がある。
【０００６】
前述のようなワイヤロープ端末部に固着した係止部片を巻胴内部に挿入して巻胴内部にて固定する方式に代わる固定手段としては、例えば図５（ａ），（ｂ），（ｃ）に示されるように、巻胴１００の表面の一部に凹所１０１を設けて、この凹所１０１内でワイヤロープ１０６の端末部１０６ａを、その凹所１０１に嵌まり込む押え板１０２によって前記凹所１０１の底面１０３とで挟み付け、その押え板１０２を複数のボルト１０４によって巻胴１００に締結して固定するような方式が採用されているものがある。そして、この押え板１０２の表面中央部に巻き付けられるワイヤロープ１０６がこの端末部固定個所で落ち込まないように、巻き胴１００の軸線方向に沿った受け部片１０５を固着している。この方式によれば、巻胴１００の表面側でロープエンドを確実に固定できる点で前述のような方式よりも取付作業性がよく、また確実にロープエンドを固定できる利点がある。
【０００７】
しかしながら、このような方式によれば、前記図５で示されるように、押え板１０２を用いて端末部を巻胴１００に固定された個所の上側で、巻胴１００に巻き付けられる一層目のワイヤロープ１０６は、端末部固定個所で落ち込まないようになるが、当該部分で巻き付け方向に凹所１０１の前後縁と受け部片１０５の頂面との間が直線状になって巻き掛けられる。このような現象が生じることによって、前記三ヶ所ａ，ｂ，ｃ間ではワイヤロープ１０６の一部が浮いた状態になるために、二層目に巻き付けられるワイヤロープが先の一層目のロープ間（巻き付けられるワイヤロープの隣接部で生じる谷の部分）に巻き重ねられると、その二層目のワイヤロープの緊張力による巻胴軸心に向いた作用力で浮いた部分が押し広げられ、ロープ間に食い込むようなことが生じる。あるいは多層に巻かれるうちにロープが押し潰されて、特に前記ａ，ｂ，ｃの個所でワイヤロープの素線を傷めるという問題が発生する。このような現象は、一挙に生じるのではなくウインチを使用している間に発生すると考えられ、通常は巻胴１００に巻き付けられたワイヤロープ１０６の一層目がすべて繰出すことはなく、端末固定部近傍は殆ど繰出されない。そのために、ワイヤロープ１０６に損傷が発生していることを見過ごすことになって、不測の事故を招くという危険性がある。
【０００８】
本発明は、このような問題点を解決するためになされたもので、ウインチの巻胴に対するワイヤロープの巻き付け端末部を合理的な固定手段で簡便に取付けられて、しかも安全性を確保できる機能のワイヤロープ端末部処理構造を有するウインチの巻胴を提供することを目的とする。
【課題を解決するための手段】
【０００９】
このような目的を達成するために、本発明によるウインチの巻胴は、
巻胴の表面の一部に凹所を設けて、この凹所の底面と嵌り合う押え部材とによって巻胴に巻かれるワイヤロープの端末部を挟み付けて固定するようにされるワイヤロープ固定構造を有するウインチの巻胴において、前記押え部材はその表面が前記巻胴の外周面に沿った曲面に形成され、下面の中央線上にワイヤロープ端末部を受入れて押さえ込むロープ押え溝が形成され、そのロープ押え溝に対して上面から複数箇所に配される止めネジにて直接ロープを係止する構成であることを特徴とするものである。
【００１０】
前記発明において、前記押え部材のロープ巻き付け側には巻胴の周方向に係止部から巻胴にロープが引き出される切欠き案内部が形成されているのがよい。
【発明の効果】
【００１１】
本発明によれば、巻胴に巻き付けるワイヤロープを仕込む際に、押え部材の下面に設けられたロープ押え溝にワイヤロープの端末部を受入れて、凹所の底面と押え部材とによって挟み付けた後、ボルトによる締結で押え部材を固定すれば、その押え部材の上面が巻胴の外周面の曲面とほぼ合致する曲面の外表面にされるので、前記凹所部分上側を巻胴の周面に揃えることができる。そして、押え部材に付属する止めネジによってロープ押え溝内で凹所底面とで挟圧されているワイヤロープの端末部を係止すれば、ワイヤロープ端末部を確実に係止固定することができる。したがって、ワイヤロープは端末部を当該凹所において固定されて巻胴端部から順次巻き付けられて一層目を密に巻き付けることができ、二層目が巻かれる状態においても一層目のロープが巻胴周面に沿って全面的に巻かれることになって、異常を来すことがない。その結果、ウインチにおいて従来発生していたようなロープの損傷がなく、安定的に保持させることができ、巻き付けられるワイヤロープが当該端末固定処理個所で浮きを生じさせることなく、巻胴面と同様にして巻き付けられ、乱巻その他のワイヤロープ損傷原因が発生するのを予防できるという効果を奏するのである。
【００１２】
また、第２発明の構成を採用することにより、前記押え部材によって固定されたワイヤロープを巻胴に巻き付ける際、その固定部から引き出されて巻胴に巻かれるロープの屈曲部分が無理なく巻胴面に移行できるので、当該部分でロープの傷めることがなく、巻胴に正しく巻き付けることができるのである。
【発明を実施するための最良の形態】
【００１３】
次に、本発明によるウインチの巻胴の実施の形態について、その具体例を図面を参照しつつ説明する。
【００１４】
図１に本発明に係る巻胴を備えたウインチの一実施形態の全体平面図が示されている。図２に要部の平面図が、図３に図２におけるＡ−Ａ視断面図が、それぞれ示されている。
【００１５】
この実施形態のウインチ１は、基本構造において従来のものと同様で、ベース２上に一対のフレーム３，３'によって支持される巻胴４に、一方のフレーム３に取付くモータ５から他方のフレーム３'に取付くギア減速機構６を介して動力が伝達され、巻胴４が減速駆動される構成である。なお、モータ５には電磁ブレーキが内蔵付設して駆動停止と同時にブレーキが作動する構成とされている。
【００１６】
前記巻胴４にはその周面の一部に一方のフランジ部７に片寄せてワイヤロープ端末部固定手段１０が設けられている。このワイヤロープ端末固定手段１０としては、巻胴４に形成される凹所１１と、この凹所１１にてワイヤロープ３０の端末部３１を固定する押え部材１２とで構成されている。
【００１７】
前記凹所１１は、図２および図３にて示されるように、平面視方形で所要深さのボックス型で、その凹所１１の内底面１１ａを平坦にされ、この凹所１１におけるフランジ部７の隣接位置には円周方向にロープ取出し溝部１６が周方向に設けられている。
【００１８】
前記押え部材１２は、表面１３を巻胴４の周面とほぼ合致する円弧面にされて、前記凹所１１内に挿入できて一端部からロープが凹所１１側のロープ取出し溝部１６に導き出せる切欠き案内部１３が形成できる外形寸法の角形で、裏面の中心線上にロープ押え溝１４が全長にわたり設けられている。そして、前記表面１３には前記裏面のロープ押え溝１４の上側位置で長手方向に複数箇所でネジ孔１７が直交するように設けられ、そのネジ孔１７に六角穴付きの止めネジ１８が螺合されている。また、前記ネジ孔１７形成部を挟んで両側には所定のピッチで前記凹所１１に設けられる取付ネジ穴２０と合致させて取付孔１９が二箇所ずつ合計四個設けてある。なお、その取付孔１９は長孔とされるのが位置合わせする都合上好ましい。そして、前記取付孔１９はその周囲に、押え部材１２を凹所１１内に締結するとボルト２１の頭部が沈む深さの座繰り１９ａが形成されている。また、前記六角穴付きの止めネジ１８はロープ端部を係止したとき上端がネジ孔１７の内側に沈む寸法のものが使用される。
【００１９】
このように構成される本実施形態のウインチの巻胴は、ワイヤロープ３０を巻胴４に巻き付けるに際して、そのワイヤロープ３０の端末部３０ａを押え部材１２の裏面に設けてあるロープ押え溝１４に嵌め込んで、その押え部材１２を巻胴４に設けられた凹所１１の内部に収容させて締結ボルト２１にて凹所１１に定着させる。こうすると、ワイヤロープの端末部３０ａは、前記押え部材１１におけるロープ押え溝１４内面と巻胴４の凹所１１の底面１１ａとによって挟圧されて固定される。さらに、その押え部材１１に付されている複数本の止めネジ１８を内向きに締め込むと、その止めネジ１８の先端がロープ押え溝１４内で固定されているワイヤロープの端末部３０ａを強く押し付けて強固に固定される。
【００２０】
こうして巻胴４の凹所１１内で押え部材１２と止めネジ１８によって端末部３０ａを固定されたワイヤロープ３０は、押え部材１２の一側部に形成されている切欠き案内部１３に沿わせて凹所１１から巻胴周面に形成されたロープ取出し溝部１６を通じて巻胴４の表面側に導かれるようにされる。こうすることで、前記凹所１１は、その上側を内部に嵌め込まれた押え部材１２によって巻胴４の周面とほぼ合致する曲面になり、ロープ取出し溝部１６から外側に導かれたワイヤロープ３０が巻胴面に順次巻き付けられるとき、凹所１１の上が巻胴４の周面と揃えられて埋められるので、当該部分で巻かれたワイヤロープ３０が浮くようなことはなく、何ら問題なく円滑に巻き付けられる。したがって、多層巻されても、上層になるワイヤロープ３０が下層のワイヤロープ巻き付け部で食い込むようなことがなく、ロープを傷めるという問題点を解消できるのである。
【００２１】
なお、ワイヤロープ３０は、端末部３０ａを押え部材１２によって巻胴４の凹所１１底面１１ａに押し付けられて固定される際、その押え部材１２に設けられるロープ押え溝１４内にロープ端末部３０ａの大部分を挟み込むようにして、かつ外側から止めネジ１８にて固定するようにしてあるから、固定の際にロープ端末部３０ａが縒りを戻されて分解状態とならないので、素線が分断されて抜け出すことはない。また、この実施形態では、ワイヤロープ３０が固定個所から巻胴表面側に導かれる部分においても切欠き案内部１３によってロープに変則的な外力が作用しない構造とされているので、使用中に固定部から外れることもない。
【００２２】
このように本実施形態によれば、簡単な構成で合理的に従来の問題点を解消することができ、巻胴に対するワイヤロープの仕込み（巻き付け）作業に当たっても、押え部材１２のロープ押え溝にロープ端末部を嵌め込んでそのまま凹所内に装入して取付ボルトにより締結固定すれば確実にロープ端末を巻胴に固定でき、ロープの交換時には押え部材を取り外すことで、作業に手数を要することなく新たなワイヤロープを取付けて作業できる。
【図面の簡単な説明】
【００２３】
【図１】本発明に係る巻胴を備えたウインチの一実施例全体平面図
【図２】要部の拡大平面図
【図３】図２におけるＡ−Ａ視断面図
【図４】ロープ端末部を固定して巻き胴に巻きつけられる態様を表わす図
【図５】従来のワイヤロープ端末部の固定態様説明図で、（ａ）はウインチ巻胴の平面図、（ｂ）はワイヤロープ端末固定部の拡大平面図、（ｃ）はＢ−Ｂ視断面図である。
【符号の説明】
【００２４】
１          ウインチ
４          巻胴
６          フランジ部
１０        ワイヤロープ端末部固定手段
１１        凹所
１１ａ      凹所の内底面
１２        押え部材
１３        押え部材の表面
１４        ロープ押え溝
１６        ロープ取出し溝部
１８        止めネジ
２０        締結ボルト
３０        ワイヤロープ
３０ａ      ワイヤロープ端末部
【図１】
2005231852.tif 000003
【図２】
2005231852.tif 000004
【図３】
2005231852.tif 000005
【図４】
2005231852.tif 000006
【図５】
2005231852.tif 000007